(57)【要約】【課題】コネクタ同士を接続する工程での作業効率の向上が図られる基板対基板コネクタを提供する。【解決手段】基板対基板コネクタは、オスコネクタとメスコネクタとを備える。メスコネクタは、ＦＰＣの厚さ方向に沿って筒状に配置された壁面からなる筒状部２３１と、ＦＰＣの厚さ方向に直交する直交方向に延在した一端部２３２２ａおよび一端部２３２２ａに連接され、一端部２３２２ａによって上記壁面に向けて付勢された他端部２３２２ｂを有する、筒状部２３１内に配置されるバネ部２３２２と、を有する。メスコネクタの接点部２３１ａは、筒状部２３１の上記壁面に設けられ、接点部２３２ａは、バネ部２３２２の他端部２３２２ｂに、接点部２３１ａに対向して設けられており、メスコネクタがオスコネクタに嵌合された状態においてバネ部２３２２の復元力により接点部２３１ａと共に突出端子を挟持する。【選択図】図４
2018067479.tif 000002
【特許請求の範囲】
【請求項１】
第１基板に実装され前記第１基板の厚さ方向に突出する突出端子を有する第１コネクタと、第２基板に実装され前記第２基板の厚さ方向に直交する直交方向において対向する第１接点部および第２接点部を有する第２コネクタと、を備え、前記第２コネクタを前記第１コネクタに嵌合させると、前記第１コネクタの前記突出端子が前記第２コネクタの前記第１接点部と前記第２接点部の間に挿入される基板対基板コネクタであって、
前記第２コネクタは、
前記第２基板の厚さ方向に沿って筒状に配置された壁面からなる筒状部と、
前記直交方向に延在した第１端部および前記第１端部に連接され、前記第１端部によって前記壁面に向けて付勢された第２端部を有する、前記筒状部内に配置されるバネ部と、を有し、
前記第１接点部は、前記筒状部の前記壁面に設けられ、
前記第２接点部は、前記バネ部の前記第２端部に、前記第１接点部に対向して設けられており、前記第２コネクタが前記第１コネクタに嵌合された状態において前記バネ部の復元力により前記第１接点部と共に前記突出端子を挟持する、
基板対基板コネクタ。
【請求項２】
前記第２コネクタは、
前記筒状部内に配置され、前記第２接点部を前記第１接点部に向けて付勢する補助バネ部を更に有する、
請求項１に記載の基板対基板コネクタ。
【請求項３】
前記補助バネ部は、
前記直交方向に延在し、前記第１端部に対向して配置された第３端部および前記第３端部に連接され、前記第２端部に向けて延在し、前記第２接点部を前記第１接点部に向けて付勢する、
請求項２に記載の基板対基板コネクタ。
【請求項４】
前記補助バネ部は、前記直交方向の面内においてＶ字に屈曲した形状を有し、一方端が前記バネ部の前記第２端部に接続され、他方端が前記第１接点部が設けられた前記壁面に対向する壁面に向けて延在している、
請求項２に記載の基板対基板コネクタ。
【請求項５】
前記第１接点部と前記第２接点部との少なくとも一方に設けられ、前記第１コネクタを前記第２コネクタに嵌合させる際に、前記突出端子を前記第１接点部と前記第２接点部との間に案内する案内部を更に有する、
請求項１から４のいずれか１項に記載の基板対基板コネクタ。
【請求項６】
前記案内部は、前記第１接点部と前記第２接点部との少なくとも一方から前記第２基板側とは反対側の外方へ延在し前記第２基板の厚さ方向に対して傾斜した舌片部から構成されている、
請求項５に記載の基板対基板コネクタ。
【請求項７】
前記筒状部は、有底筒状である、
請求項１から６のいずれか１項に記載の基板対基板コネクタ。
【請求項８】
前記第１接点部と前記第２接点部とは、互いに向けて突出した形状を有する、
請求項１から７のいずれか１項に記載の基板対基板コネクタ。
【発明の詳細な説明】
【技術分野】
【０００１】
本発明は、基板対基板コネクタに関する。
【背景技術】
【０００２】
第１基板に実装される第１コネクタと、第２基板に実装され、第１コネクタと嵌合する第２コネクタと、から構成される基板対基板コネクタが提案されている（例えば特許文献１参照）。第１コネクタは、第１基板の厚さ方向に突出する突出端子を有し、第２コネクタは、一部が突出端子の側方（雄端子の突出方向に直交する方向）から突出端子に弾接する受容端子を有する。受容端子は、突出端子が挿入される端子収納開口を形成する導体と、導体における端子収納開口の周縁から内側に向けて延出する２つの腕部と、導体における端子収納開口の周縁から内側に向けて突出する突出部と、を有する。導体と２つの腕部と突出部とは、弾性を有する金属から形成されている。２つの腕部は、基端部が端子収納開口の周縁に接続され、先端部が突出端子の挿入方向に直交する方向に変位する形で撓む。
【０００３】
第２コネクタを第１コネクタに嵌合させる際、まず、受容端子の端子収納開口における一方の腕部の基端部近傍に突出端子を挿入する形で、第１基板と第２基板とを重ね合わせる。その後、突出端子を端子収納開口における一方の腕部の先端部まで移動させるように第２基板を第１基板に対して摺動させる。これにより、突出端子に弾接する２つの腕部の先端部と突出部とにより突出端子が挟持された状態で、第２コネクタが第１コネクタに嵌合する。
【先行技術文献】
【特許文献】
【０００４】
【特許文献１】特開２０１２−２２６９７７号公報
【発明の概要】
【発明が解決しようとする課題】
【０００５】
しかしながら、特許文献１に記載の基板対基板コネクタでは、第２コネクタを第１コネクタに嵌合させる際、第１基板と第２基板とを重ね合わせる工程と、第２基板を第１基板に対して摺動させる工程と、の２工程が必要となる。そうすると、第１コネクタと第２コネクタとを接続する工程での作業効率が低下する虞がある。
【０００６】
本発明は、上記事由に鑑みてなされたものであり、コネクタ同士を接続する工程での作業効率の向上が図られる基板対基板コネクタを提供することを目的とする。
【課題を解決するための手段】
【０００７】
上記目的を達成するため、本発明に係る基板対基板コネクタは、
第１基板に実装され前記第１基板の厚さ方向に突出する突出端子を有する第１コネクタと、第２基板に実装され前記第２基板の厚さ方向に直交する直交方向において対向する第１接点部および第２接点部を有する第２コネクタと、を備え、前記第２コネクタを前記第１コネクタに嵌合させると、前記第１コネクタの前記突出端子が前記第２コネクタの前記第１接点部と前記第２接点部の間に挿入される基板対基板コネクタであって、
前記第２コネクタは、
前記第２基板の厚さ方向に沿って筒状に配置された壁面からなる筒状部と、
前記直交方向に延在した第１端部および前記第１端部に連接され、前記第１端部によって前記壁面に向けて付勢された第２端部を有する、前記筒状部内に配置されるバネ部と、を有し、
前記第１接点部は、前記筒状部の前記壁面に設けられ、
前記第２接点部は、前記バネ部の前記第２端部に、前記第１接点部に対向して設けられており、前記第２コネクタが前記第１コネクタに嵌合された状態において前記バネ部の復元力により前記第１接点部と共に前記突出端子を挟持する。
【発明の効果】
【０００８】
本発明によれば、第２基板の厚さ方向に沿って筒状に配置された壁面からなる筒状部と、第２基板の厚さ方向に直交する直交方向に延在した第１端部および第１端部に連接され、第１端部によって壁面に向けて付勢された第２端部を有する、筒状部内に配置されるバネ部と、を有する。そして、第１接点部は、筒状部の壁面に設けられ、第２接点部は、バネ部の第２端部に、第１接点部に対向して設けられている。これにより、突出端子が第１接点部と第２接点部との間に挿入される形で第２コネクタを第１コネクタに嵌合させる工程を行うことで、第１コネクタと第２コネクタとが接続される。従って、第１コネクタと第２コネクタとを接続する工程での作業効率の向上が図られる。
【図面の簡単な説明】
【０００９】
【図１】本発明の実施形態に係る基板対基板コネクタを示し、（Ａ）はメスコネクタがオスコネクタから離脱した状態を示す斜視図であり、（Ｂ）はメスコネクタがオスコネクタに接続された状態を示す斜視図である。
【図２】実施形態に係るオスコネクタを示し、（Ａ）は平面図、（Ｂ）は斜視図である。
【図３】実施形態に係るメスコネクタの分解斜視図である。
【図４】実施形態に係るメス端子を示し、（Ａ）は一方向から見た斜視図であり、（Ｂ）は他の一方向から見た斜視図である。
【図５】実施形態に係るメス端子を示し、（Ａ）はメス端子の筒状部の筒軸を説明するための図であり、（Ｂ）はメス端子の平面図である。
【図６】実施形態に係る基板対基板コネクタを示し、（Ａ）はメスコネクタがオスコネクタから離脱した状態を示す断面図であり、（Ｂ）はメスコネクタをオスコネクタに接続する途中の状態を示す断面図であり、（Ｃ）はメスコネクタがオスコネクタに接続された状態を示す断面図である。
【図７】実施形態に係るメス端子と突出端子の一部とを示し、（Ａ）は突出端子がメス端子から離脱した状態を示す斜視図であり、（Ｂ）は突出端子がメス端子に挟持された状態を示す斜視図である。
【図８】変形例に係るメス端子を示し、（Ａ）は斜視図であり、（Ｂ）は平面図である。
【図９】変形例に係るメス端子の平面図である。
【発明を実施するための形態】
【００１０】
以下に、本発明の一実施形態に係る基板対基板コネクタについて添付図面を参照しながら説明する。本実施形態に係る基板対基板コネクタは、フレキシブルプリント回路基板（Flexible Printed Circuits、以下「ＦＰＣ」と称する。）と他の回路基板との間を接続するためのものである。基板対基板コネクタは、図１（Ａ）および（Ｂ）に示すように、回路基板（第１基板）３０に実装されたオスコネクタ（第１コネクタ）１０と、ＦＰＣ（第２基板）４０に接続されたメスコネクタ（第２コネクタ）２０とを備える。オスコネクタ１０は、オスコネクタハウジング１１と、２枚の固定金具１３と、複数（図１（Ａ）では４つ）のオス端子１２と、を備える。
【００１１】
オスコネクタハウジング１１は、メスコネクタ２０が挿入される開口１１ｋを有する。オスコネクタハウジング１１は、樹脂材料から例えば射出成形により形成される。オスコネクタハウジング１１の底壁１１ａには、図２（Ａ）および（Ｂ）に示すように、メスコネクタ２０を案内する３つの案内リブ１１２が設けられている。オスコネクタハウジング１１の短手方向における一方の側壁１１ｂには、外側に突出する突出部１１３が設けられている。突出部１１３の中央部には、後述の固定部２１１の突起２１１ａが嵌め込まれる嵌合孔１１３ａが形成されている。また、オスコネクタハウジング１１の長手方向における両側壁１１ｃそれぞれには、固定金具１３を側壁１１ｃに固定するための金具固定部１１ｔが設けられている。
【００１２】
固定金具１３は、オスコネクタハウジング１１の両側壁１１ｃを回路基板３０に固定するための金具である。固定金具１３は、オスコネクタハウジング１１の両側壁１１ｃに設けられた金具固定部１１ｔに固定される形で両側壁１１ｃに当接して配置されている。固定金具１３は、例えば金属板に打ち抜き加工を施すことにより形成されている。また、固定金具１３は、回路基板３０に形成された、はんだ付け部にはんだ付けされることにより、オスコネクタ１０が回路基板３０に取付けられる。
【００１３】
オス端子１２は、回路基板３０の厚さ方向に突出する柱状の突出端子１２１と、突出端子１２１の基端部から突出端子１２１の突出方向と直交する方向へ延在する接続端子１２２と、を有するＬ字状の端子である。オス端子１２は、金属等の導電性の素材から形成されている。突出端子１２１は、オスコネクタハウジング１１の内側において底壁１１ａから回路基板３０の厚さ方向へ突出するように配置されている。接続端子１２２は、一部がオスコネクタハウジング１１の底壁１１ａに埋め込まれる形でオスコネクタハウジング１１に固定され先端部がオスコネクタハウジング１１の側壁の外側に位置している。接続端子１２２は、回路基板３０に形成された導体パターン３１にはんだ付けされることにより、導体パターン３１に電気的に接続される。
【００１４】
メスコネクタ２０は、図３に示すように、メスコネクタハウジング２１と、複数（図３では４つ）のメス端子２３と、２枚の固定金具２４と、ＦＰＣ補強板２５と、を有する。
【００１５】
メスコネクタハウジング２１は、矩形箱状であり、上面２１ａには、オスコネクタ１０の突出端子１２１が挿通される複数（図３では４つ）の端子挿通孔２１２と、３つの案内リブ１１２それぞれが挿通されるリブ挿通孔２１３と、が設けられている。メスコネクタハウジング２１は、樹脂材料から例えば射出成形により形成される。メスコネクタハウジング２１の平面視における外形寸法は、オスコネクタハウジング１１の開口１１ｋの寸法よりも小さい。そして、図１（Ｂ）に示すように、メスコネクタハウジング２１がオスコネクタハウジング１１内に嵌合される形で、メスコネクタ２０がオスコネクタ１０に接続される。また、図１（Ａ）に示すように、メスコネクタハウジング２１の短手方向における一方の側壁２１ｂには、メスコネクタ２０をオスコネクタ１０に固定するための固定部２１１が設けられている。そして、固定部２１１の一部には突起２１１ａが形成されており、この突起２１１ａは、図１（Ｂ）に示すように、メスコネクタ２０がオスコネクタ１０に嵌合された状態でオスコネクタハウジング１１の嵌合孔１１３ａに嵌め込まれる。また、図３に示すように、メスコネクタハウジング２１の長手方向における側壁２１ｃそれぞれには、固定金具２４を側壁２１ｃに固定するための金具固定部２１ｔが設けられている。
【００１６】
固定金具２４は、メスコネクタハウジング２１の側壁２１ｃをＦＰＣ４０に固定するための金具である。固定金具２４は、図３に示すように、メスコネクタハウジング２１の側壁２１ｃに設けられた金具固定部２１ｔに固定される形で側壁２１ｃに当接して配置されている。固定金具２４は、例えば金属板に打ち抜き加工を施すことにより形成されている。また、固定金具２４は、ＦＰＣ４０に形成された、はんだ付け部にはんだ付けされることにより、メスコネクタ２０がＦＰＣ４０に取付けられる。
【００１７】
ＦＰＣ補強板２５は、ＦＰＣ４０のメスコネクタハウジング２１への取り付け部分を補強するためのものである。ＦＰＣ補強板２５は、ＦＰＣ４０におけるメスコネクタハウジング２１が配置される側とは反対側に配置され、メスコネクタハウジング２１とともにＦＰＣ４０を挟持する。ＦＰＣ補強板２５は、例えば金属板に打ち抜き加工を施すことにより形成されている。
【００１８】
メス端子２３は、図４（Ａ）および（Ｂ）に示すように、筒状部２３１と、バネ部２３２２と、補助バネ部２３２３と、緩衝部２３５と、固定部２３６、２３８と、接続端子２３７と、を有する。メス端子２３は、金属等の導電性の素材から形成されている。
【００１９】
筒状部２３１は、有底角筒状であり、図５（Ａ）に示すように、その筒軸Ｊ１がＦＰＣ４０の厚さ方向に平行となるように配置される。筒状部２３１は、図５（Ｂ）に示すように、バネ部２３２２および補助バネ部２３２３を支持する矩形板状の支持片２３２１を有する。支持片２３２１の中央部分には、バネ部２３２２および補助バネ部２３２３に向けて突出しており、補助バネ部２３２３の端部に当接することにより、バネ部２３２２および補助バネ部２３２３が過大に変形するのを防止する変形防止部２３２ｃが設けられている。
【００２０】
筒状部２３１の側壁２３１ｃには、後述のバネ部２３２２の接点部（第２接点部）２３２ａに向けて突出した形状を有する接点部（第１接点部）２３１ａが設けられている。この接点部２３１ａは、筒状部２３１の側壁２３１ｃのバネ部２３２２の接点部（第２接点部）２３２ａに対向する部位に設けられている。つまり、２つの接点部２３１ａ、２３２ａは、ＦＰＣ４０の厚さ方向に直交する直交方向において対向している。
【００２１】
バネ部２３２２は、金属製の板バネから構成されており、図４（Ａ）および（Ｂ）に示すように、筒状部２３１内に配置され、筒状部２３１の支持片２３２１と一体に形成され、筒状部２３１の筒軸Ｊ１方向に直交する直交方向に延在している。バネ部２３２２は、長手方向における一端部（第１端部）２３２２ａが支持片２３２１と一体に形成される形で支持片２３２１に固定される。また、バネ部２３２２は、その長手方向における他端部（第２端部）２３２２ｂを筒状部２３１の側壁２３１ｃに向けて付勢する。図４（Ｂ）に示すように、バネ部２３２２の他端部２３２２ｂには、接点部２３２ａが設けられている。この接点部２３２ａは、筒状部２３１の接点部２３１ａに向けて突出した形状を有する。また、接点部２３２ａには、メスコネクタ２０をオスコネクタ１０に嵌合させる際に、オスコネクタ１０の突出端子１２１を２つの接点部２３１ａ、２３２ａの間に案内する舌片部（案内部）２３２ｂが設けられている。この舌片部２３２ｂは、接点部２３２ａからＦＰＣ４０側とは反対側の外方へ延在しＦＰＣ４０の厚さ方向に対して傾斜している。
【００２２】
補助バネ部２３２３は、金属製の板バネから構成されており、バネ部２３２２の接点部２３２ａを筒状部２３１の接点部２３１ａに向けて付勢する。補助バネ部２３２３は、長手方向における一端部（第３端部）２３２３ａが支持片２３２１と一体に形成される形で支持片２３２１に固定されている。補助バネ部２３２３は、長手方向における他端部（第４端部）２３２３ｂがバネ部２３２２の他端部２３２２ｂにおける接点部２３２ａ側とは反対側に弾接または近接している。
【００２３】
固定部２３６、２３８は、メスコネクタハウジング２１にメス端子２３を固定するためのものである。固定部２３６は、緩衝部２３５と一体に形成されている。また、固定部２３８は、筒状部２３１と一体に形成されている。固定部２３６は、メスコネクタハウジング２１の内壁に形成された固定用孔（図示せず）に圧入され、固定部２３８は、メスコネクタハウジング２１の内側に設けられた係合片（図示せず）に係合される。固定部２３８は、係合片に沿って筒状部２３１の短手方向へ摺動可能な状態で係合片に係合される。
【００２４】
接続端子２３７は、緩衝部２３５を介して筒状部２３１に接続されている。緩衝部２３５は、Ｕ字状に屈曲した板状であり、接続端子２３７に接続された屈曲部２３５１と、屈曲部２３５１と筒状部２３１とを連結する板状の連結部２３５２と、を有する。ここで、筒状部２３１は、緩衝部２３５の屈曲部２３５１が撓むことにより、ＦＰＣ４０に固定された接続端子２３７に対して筒状部２３１の短手方向へ移動可能となっている。また、接続端子２３７は、その先端部がＦＰＣ４０に形成された導体パターン４１（図３参照）にはんだ付けされることにより導体パターン４１に電気的に接続される。
【００２５】
次に、本実施形態に係るメスコネクタ２０をオスコネクタ１０に接続する方法について詳細に説明する。まず、図６（Ａ）の矢印ＡＲ１に示すように、メスコネクタ２０を、オスコネクタハウジング１１の開口１１ｋに向けてオスコネクタ１０に近づける。そして、図６（Ｂ）に示すように、オスコネクタ１０の案内リブ１１２の先端部をメスコネクタハウジング２１のリブ挿通孔２１３に挿通させてからメスコネクタ２０を回路基板３０に向けて移動させる（図６（Ｂ）の矢印ＡＲ１参照）。これに伴い、メスコネクタ２０が案内リブ１１２により案内される形で、突出端子１２１の先端部がメス端子２３に近づいていく。このとき、突出端子１２１の先端部は、図７（Ａ）の矢印ＡＲ１に示すように、メス端子２３の２つの接点部２３１ａ、２３２ａの間に近づいていく。そして、メスコネクタ２０を回路基板３０に向けて押し込むと、図６（Ｃ）に示すように、メスコネクタ２０がオスコネクタ１０に嵌合され、突出端子１２１がメス端子２３に接続された状態となる。また、図７（Ｂ）に示すように、突出端子１２１がメス端子２３の２つの接点部２３１ａ、２３２ａの間に挿入され、この２つの接点部２３１ａ、２３２ａが、バネ部２３２２の復元力により突出端子１２１を挟持する。また、このとき、図１（Ｂ）に示すように、メスコネクタ２０の固定部２１１は、オスコネクタハウジング１１の突出部１１３の内側に挿入され、固定部２１１の突起２１１ａが、オスコネクタハウジング１１の嵌合孔１１３ａに嵌め込まれた状態となる。これにより、メスコネクタ２０に対してオスコネクタ１０から離脱する方向への外力が加わった場合において、メスコネクタ２０のオスコネクタ１０からの離脱が抑制される。
【００２６】
以上説明したように、本実施形態に係る基板対基板コネクタによれば、メスコネクタ２０が、筒状部２３１とバネ部２３２２とを有する。ここで、筒状部２３１は、筒軸Ｊ１がＦＰＣ４０の厚さ方向に平行である。また、バネ部２３２２は、ＦＰＣ４０の厚さ方向に直交する直交方向に延在し一端部２３２２ａが支持片２３２１と一体に形成される形で支持片２３２１に固定され他端部２３２２ｂを筒状部２３１の側壁２３１ｃに向けて付勢する。そして、接点部２３２ａが、バネ部２３２２の他端部２３２２ｂに設けられ、接点部２３１ａが、筒状部２３１の接点部２３２ａに対向する部位に設けられている。これにより、突出端子１２１が筒状部２３１の筒軸Ｊ１方向に沿って接点部２３１ａと接点部２３２ａとの間に挿入される形でメスコネクタ２０をオスコネクタ１０に嵌合させる工程を行うことで、オスコネクタ１０とメスコネクタ２０とが接続される。従って、オスコネクタ１０とメスコネクタ２０とを接続する工程での作業効率の向上が図られる。
【００２７】
また、本実施形態に係るメス端子２３では、筒状部２３１の筒軸Ｊ１がＦＰＣ４０の厚さ方向に平行であり、バネ部２３２２がＦＰＣ４０の厚さ方向に直交する直交方向に延在している。即ち、バネ部２３２２が筒状部２３１の筒軸Ｊ１に直交する方向に延在している。これにより、筒状部２３１の筒軸Ｊ１方向の高さを変更せずに筒状部２３１の断面積を大きくすることによりバネ部２３２２の長さを長くしてバネ部２３２２の弾性領域を大きくすることができる。従って、メスコネクタ２０の接点部２３１ａ、２３２ａ間に挿入する突出端子１２１の厚さの許容範囲を広げることができ、ひいてはメスコネクタ２０の汎用性を高めることができる。
【００２８】
更に、本実施形態に係るメス端子２３では、バネ部２３２２が筒状部２３１内に配置されている。これにより、バネ部２３２２を支持する支持片２３２１と、側壁２３１ｃとの間隔が開くのを抑制し、接点部２３１ａ、２３２ａ間の接圧を安定させることができる。
【００２９】
また、本実施形態に係るメス端子２３は、接点部２３２ａを接点部２３１ａに向けて付勢する補助バネ部２３２３を有する。これにより、接点部２３１ａ、２３２ａ間にオスコネクタ１０の突出端子１２１が挿入された状態での接点部２３１ａ、２３２ａの突出端子１２１への接圧を高めることができる。従って、接点部２３１ａ、２３２ａと突出端子１２１との間での接触不良の発生を抑制できる。
【００３０】
更に、本実施形態に係るメス端子２３の接点部２３２ａには、メスコネクタ２０をオスコネクタ１０に嵌合させる際に、突出端子１２１を２つの接点部２３１ａ、２３２ａの間に案内する舌片部２３２ｂを有する。これにより、メスコネクタ２０をオスコネクタ１０に嵌合させる際、突出端子１２１が２つの接点部２３１ａ、２３２ａの間にスムーズに挿入される。従って、メスコネクタ２０とオスコネクタ１０との接続を容易にすることができる。
【００３１】
また、本実施形態に係る筒状部２３１は、有底筒状である。これにより、筒状部２３１の底壁２３３により筒状部２３１の側壁（例えば側壁２３１ｂ、２３１ｃ）の端部同士が底壁２３３により連結されるので、筒状部２３１の強度が向上するという利点がある。また、例えばユーザがバネ部２３２２または補助バネ部２３２３に意図せずに接触することにより、接点部２３１ａ、２３２ａが損傷してしまうことを防止できる。
【００３２】
（変形例）
以上、本発明の実施形態について説明したが、本発明は前述の実施形態の構成に限定されるものではない。例えば、図８に示すように、補助バネ部２３２６が、筒状部２２３１の筒軸Ｊ１方向に直交する直交方向の面内においてＶ字に屈曲した形状を有するものであってもよい。なお、図８において、実施形態と同様の構成については、図４（Ａ）、（Ｂ）および図５（Ｂ）と同一の符号を付している。バネ部２３２５は、長手方向の一端部２３２５ａが支持片２３２４と一体に形成される形で支持片２３２４に固定されている。そして、補助バネ部２３２６は、長手方向の一端部２３２６ａがバネ部２３２５の長手方向の他端部（第１端部）２３２５ｂに接続され、長手方向の他端部２３２６ｂが支持片２３２４に弾接または近接している。
【００３３】
本構成によれば、実施の形態と同様に、突出端子１２１が筒状部２３１の筒軸Ｊ１方向に沿って接点部２３１ａと接点部２３２ａとの間に挿入される形でメスコネクタをオスコネクタに嵌合させる工程を行うことで、オスコネクタとメスコネクタとが接続される。従って、本構成においても、オスコネクタとメスコネクタとを接続する工程での作業効率の向上が図られる。
【００３４】
実施形態では、例えば図５（Ｂ）に示すように、バネ部２３２２の支持片２３２１に連続する一端部２３２２ａおよび補助バネ部２３２３の支持片２３２１に連続する一端部２３２３ａがそれぞれＣ字状に湾曲している例について説明した。但し、バネ部２３２２、補助バネ部２３２３の一端部２３２２ａ、２３２３ａの形状はこれに限定されない。例えば、図９に示すように、バネ部２３２８は、支持片２３２７に連続する一端部２３２８ａが、支持片２３２７の端部２３２７ａに重なる形で折り返されたものであってもよい。また、補助バネ部２３２９は、支持片２３２７に連続する一端部２３２９ａが、支持片２３２７の端部２３２７ｂに重なる形で折り返されたものであってもよい。なお、図９において、実施形態と同様の構成については、図５（Ｂ）と同一の符号を付している。バネ部２３２８および補助バネ部２３２９それぞれの可撓部分の長さは、実施形態に係るバネ部２３２２および補助バネ部２３２３に比べて短くなっており、その分、バネ部２３２８の他端部２３２８ｂおよび補助バネ部２３２９の他端部２３２９ｂと変形防止部２３２ｃとの間の距離が短くなっている。これにより、メス端子３２３は、接点部２３１ａ、２３２ａ間に挿入可能な突出端子の寸法が実施形態に係るメス端子２３に比べて限定される。
【００３５】
本構成によれば、メス端子３２３は、接点部２３１ａ、２３２ａ間に挿入可能な突出端子の寸法が限定されることにより、接続可能なオス端子の種類が限定される。従って、例えばメス端子３２３が本来の仕様と異なるオス端子（例えばメス端子２３に対応するオス端子）に接続されることに起因した機器の故障や事故等を未然に防止することが可能となる。また、本構成によれば、バネ部２３２８の一端部２３２８ａが支持片２３２７の端部２３２７ａに重なる形で折り返され、補助バネ部２３２９の一端部２３２９ａが支持片２３２７の端部２３２７ｂに重なる形で折り返されている。これにより、支持片２３２７と筒状部２３１の側壁２３１ｃとの間隔を小さくすることができるので、メス端子３２３の小型化が可能になるという利点もある。
【００３６】
実施形態では、バネ部２３２２と補助バネ部２３２３とが筒状部２３１の支持片２３２１と一体に形成される例について説明したが、これに限らず、バネ部２３２２と補助バネ部２３２３とが支持片２３２１と別体であってもよい。
【００３７】
実施形態では、補助バネ部２３２３が金属製の板バネから構成される例について説明したが、補助バネ部２３２３の種類は金属製の板バネに限定されるものではない。例えばコイルバネから構成されていてもよい。或いは、補助バネ部２３２３が樹脂製のバネから構成されていてもよい。
【００３８】
以上、本発明の各実施形態および変形例（なお書きに記載したものを含む。以下、同様。）について説明したが、本発明はこれらに限定されるものではない。本発明は、実施形態及び変形例が適宜組み合わされたもの、それに適宜変更が加えられたものを含む。
【産業上の利用可能性】
【００３９】
本発明の基板対基板コネクタは、電気電子機器産業分野や自動車産業分野において広く利用される。
【符号の説明】
【００４０】
１０：オスコネクタ（第１コネクタ）、１１：オスコネクタハウジング、１１ａ，２３３：底壁、１１ｂ，１１ｃ，２１ｂ，２１ｃ，２３１ｂ，２３１ｃ：側壁、１１ｋ：開口、１１ｔ，２１ｔ：金具固定部、１２：オス端子、１３，２４：固定金具、２０：メスコネクタ（第２コネクタ）、２１：メスコネクタハウジング、２１ａ：上面、２３，２２３，３２３：メス端子、２５：ＦＰＣ補強板、３０：回路基板（第１基板）、３１，４１：導体パターン、４０：ＦＰＣ（第２基板）、１１２：案内リブ、１１３：突出部、１１３ａ：嵌合孔、１２１：突出端子、１２２，２３７：接続端子、２１１，２３６，２３８：固定部、２１１ａ：突起、２１２：端子挿通孔、２１３：リブ挿通孔、２３１，２２３１：筒状部、２３１ａ，２３２ａ：接点部、２３２ｂ：舌片部、２３２ｃ：変形防止部、２３５：緩衝部、２３２１，２３２４，２３２７：支持片、２３２２，２３２５，２３２８：バネ部、２３２２ａ，２３２２ｂ，２３２３ａ，２３２３ｂ，２３２５ａ，２３２５ｂ，２３２６ａ，２３２６ｂ，２３２７ａ，２３２７ｂ，２３２８ａ，２３２８ｂ，２３２９ａ，２３２９ｂ：端部、２３２３，２３２６，２３２９：補助バネ部、２３５１：屈曲部、２３５２：連結部、Ｊ１：筒軸
【図１】
2018067479.tif 000003
【図２】
2018067479.tif 000004
【図３】
2018067479.tif 000005
【図４】
2018067479.tif 000006
【図５】
2018067479.tif 000007
【図６】
2018067479.tif 000008
【図７】
2018067479.tif 000009
【図８】
2018067479.tif 000010
【図９】
2018067479.tif 000011